(57)【特許請求の範囲】
【請求項１】
変圧器・リアクトル等電気機器の周囲を包囲した遮音壁と、
前記電気機器の外面に設けられ、前記電気機器の発生する騒音を検知するセンサマイクもしくは騒音を振動として検知する加速度センサと、
前記遮音壁の上面または上方ないしはそれらの近傍に設けられ、前記騒音を検知するモニタマイクと、
前記遮音壁の内方に設けられたスピーカと、
前記センサマイクもしくは加速度センサの検知信号を前記モニタマイクの設置位置にて前記電気機器が発生する騒音と逆位相となるようにして前記スピーカに出力し、かつ、前記モニタマイクの検知する騒音が最小となるよう前記スピーカの出力をフィードバック制御する制御装置と
を備えたことを特徴とする遮音装置。
【請求項２】
変圧器・リアクトル等電気機器の周囲を包囲した遮音壁と、
前記電気機器の外面に設けられ、前記電気機器の発生する騒音を検知するセンサマイクもしくは騒音を振動として検知する加速度センサと、
前記遮音壁の下部に形成され、前記電気機器冷却用空気を取り込む開口部と、
前記開口部または該開口部の近傍に設けられ、前記騒音を検知するモニタマイクと、
前記開口部の内方に設けられたスピーカと、
前記センサマイクもしくは加速度センサの検知信号を前記モニタマイクの設置位置にて前記電気機器が発生する騒音と逆位相となるようにして前記スピーカに出力し、かつ、前記モニタマイクの検知する騒音が最小となるよう前記スピーカの出力をフィードバック制御する制御装置と
を備えたことを特徴とする遮音装置。
【請求項３】
請求項１記載の遮音装置において、遮音壁の下部に形成され、電気機器冷却用空気を取り込む開口部と、
前記開口部または該開口部の近傍に設けられ、電気機器の発生する騒音を検知するモニタマイクと、
前記開口部の内方に設けられたスピーカと、
前記センサマイクもしくは加速度センサの検知信号を前記モニタマイクの設置位置にて前記電気機器が発生する騒音と逆位相となるようにして前記スピーカに出力し、かつ、前記モニタマイクの検知する騒音が最小となるよう前記スピーカの出力をフィードバック制御する制御装置と
を備えたことを特徴とする遮音装置。
【発明の詳細な説明】
【０００１】
【発明の属する技術分野】
本発明は、変圧器・リアクトル等騒音を発生する電気機器の遮音効果を高め、安価に構成できる遮音装置に関し、さらに詳しくは、特に変電所の変圧器に対する騒音対策に適用される遮音装置に関する。
【０００２】
【従来の技術】
各図において、同一符号は同一もしくは相当するものを示し、従来例を図５及び図６を参照して説明する。
１はコンクリートが敷設された設置床、２は設置床１に設置された変圧器、３は変圧器２の周囲に突設された放熱器、４は放熱器３の上方に設けられた散水器であり、夏場等変圧器２を高負荷で用いる場合、散水器４から放熱器３に散水し放熱器３を冷却する。
【０００３】
５は変圧器２の周囲を包囲した遮音壁であり、コンクリート・鉄板・吸音材を取り付けたパネル・多孔質のセラミック等からなり、設置床１に立設され、遮音壁５の上面は開口して上面開口部６が形成されている。７は変圧器２上面のブッシング、８は散水器４の支持杆であり、遮音壁５の内面或いは変圧器２の外面に固着され、給水管を備えている。
【０００４】
前記遮音壁５の上面を密閉せずに開口としているのは、つぎの理由による。
（１）変圧器２のブッシング７に引き込む架空線の電気的絶縁寸法を確保し、
（２） 変圧器２より発生する熱量を放散するため。
【０００５】
そして、遮音壁５の外方の受音点では、変圧器２から直線伝播してくる音を、遮音壁５により減音しているが、遮音壁５の上方から回り込んでくる回折音が加わっている。
【０００６】
【発明が解決しようとする課題】
従来の前記遮音装置の場合、遮音壁５を用いた距離減衰による減音であるため、減音量が１０dB程度が限界であり、減音量の大きい低騒音化を期待できないという問題点がある。
【０００７】
一方、変圧器２の上方は、遮音壁５の上面開口部６により開口しているが、変圧器２の上方のみの開口であるため、放熱器３を冷却するための風が十分に流れず、変圧器２の温度上昇が高く、夏場の高負荷時等には散水器４により放熱器３に散水して放熱器３を冷却せねばならず、散水器４等散水装置・水・給水管・散水制御装置等を要し、高価な設備となる。
【０００８】
また、放熱器３に風が十分に流れるように、変圧器２と遮音壁５の間隔を大きくする必要があり、設置スペースが大になるという問題点がある。
【０００９】
本発明は、前記の諸点に留意し、変圧器・リアクトル等騒音を発生する電気機器の遮音効果を高め、安価に構成できる遮音装置を提供することを目的とし、さらには、遮音とともに電気機器の熱放散を助長する遮音装置を提供することを目的とする。
【００１０】
【課題を解決するための手段】
前記目的を達成するために、本発明の請求項１記載の遮音装置は、変圧器・リアクトル等電気機器の周囲を包囲した遮音壁と、前記電気機器の外面に設けられ、前記電気機器の発生する騒音を検知するセンサマイクもしくは騒音を振動として検知する加速度センサと、前記遮音壁の上面または上方ないしはそれらの近傍に設けられ、前記騒音を検知するモニタマイクと、前記遮音壁の内方に設けられたスピーカと、前記センサマイクもしくは加速度センサの検知信号を前記モニタマイクの設置位置にて前記電気機器が発生する騒音と逆位相となるようにして前記スピーカに出力し、かつ、前記モニタマイクの検知する騒音が最小となるよう前記スピーカの出力をフィードバック制御する制御装置とを備えたものである。
【００１１】
前記のように構成された請求項１記載の発明は、変圧器・リアクトル等電気機器の周囲を遮音壁が包囲し、電気機器の外面に電気機器の発生する騒音を検知するセンサマイクもしくは騒音を振動として検知する加速度センサが設けられ、遮音壁の上面または上方ないしはそれらの近傍に騒音を検知するモニタマイクが設けられ、遮音壁の内方にスピーカが設けられ、制御装置により、センサマイクもしくは加速度センサの検知信号をモニタマイクの設置位置にて電気機器が発生する騒音と逆位相となるようにしてスピーカに出力し、かつ、モニタマイクの検知する騒音が最小となるようスピーカの出力をフィードバック制御するため、遮音壁外部へ伝播する騒音を能動的に低減させることができ、減音効果を高めることができる。
【００１２】
つぎに、請求項２記載の遮音装置は、変圧器・リアクトル等電気機器の周囲を包囲した遮音壁と、前記電気機器の外面に設けられ、前記電気機器の発生する騒音を検知するセンサマイクもしくは騒音を振動として検知する加速度センサと、前記遮音壁の下部に形成され、前記電気機器冷却用空気を取り込む開口部と、前記開口部または該開口部の近傍に設けられ、前記騒音を検知するモニタマイクと、前記開口部の内方に設けられたスピーカと、前記センサマイクもしくは加速度センサの検知信号を前記モニタマイクの設置位置にて前記電気機器が発生する騒音と逆位相となるようにして前記スピーカに出力し、かつ、前記モニタマイクの検知する騒音が最小となるよう前記スピーカの出力をフィードバック制御する制御装置とを備えたものである。
【００１３】
前記のように構成された請求項２記載の発明は、変圧器・リアクトル等電気機器の周囲を遮音壁が包囲し、電気機器の外面に電気機器の発生する騒音を検知するセンサマイクもしくは騒音を振動として検知する加速度センサが設けられ、遮音壁の下部に電気機器冷却用空気を取り込む開口部が形成され、開口部または該開口部の近傍に騒音を検知するモニタマイクが設けられ、開口部の内方にスピーカが設けられ、制御装置により、センサマイクもしくは加速度センサの検知信号をモニタマイクの設置位置にて電気機器が発生する騒音と逆位相となるようにしてスピーカに出力し、かつ、モニタマイクの検知する騒音が最小となるようスピーカの出力をフィードバック制御するため、遮音壁外部へ伝播する騒音を能動的に低減させることができ、遮音壁周囲外方の受音点に対し、電気機器から直接伝播してくる音を減音することができ、かつ、開口部から電気機器冷却用空気が取り込まれ、電気機器を冷却することができ、散水装置・水・給水管・散水制御装置等を要さず、さらに、電気機器と遮音壁の間隔を小さくでき、設置面積が減少し、土地の有効利用が可能となり、その上、遮音壁自体の設置量も減少し、遮音壁も安価になる。
【００１４】
つぎに、請求項３記載の遮音装置は、請求項１記載の発明と請求項２記載の発明とを合わせ持った遮音装置であり、両発明の作用効果を備え、より遮音効果を高め、安価に構成することができる。
【００１５】
【発明の実施の形態】
（形態１）
本発明の実施の形態１を図１及び図２を参照して説明する。設置床１に設置された変圧器２は、周面に放熱器３、上面に架空線を引き込むブッシング７を備え、変圧器２の周囲を遮音壁５が包囲し、遮音壁５の上面は開口して上面開口部６が形成されている。
【００１６】
そして、変圧器２の外面に変圧器２の発生する騒音を検知するセンサマイクもしくは騒音を振動として検知する加速度センサ９が設けられ、遮音壁５の４辺の上面または上方ないしはそれらの近傍に、遮音壁５の上端部に沿って細長のマイク箱１０が、遮音壁５に連結された支持具１１により支持され、マイク箱１０に変圧器２の発生する騒音を検知する複数個のモニタマイク１２が取り付けられている。
【００１７】
さらに、遮音壁５の上端部内方に各マイク箱１０に平行にスピーカ箱１３が、遮音壁５に連結された支持具１４により支持され、スピーカ箱１３に複数個のスピーカ１５が取り付けられ、スピーカ１５より主としてモニタマイク１２に向け放音する。
【００１８】
つぎに、制御装置１６が変圧器２・遮音壁５等適所に設けられ、制御装置１６により、センサマイクもしくは加速度センサ９の検知信号をモニタマイク１２の設置位置にて変圧器２が発生する騒音と逆位相となるようにしてスピーカ１５に出力し、かつ、モニタマイク１２の検知する騒音が最小となるようスピーカ１５の出力をフィードバック制御する。
【００１９】
従って、遮音壁５外部へ伝播する騒音を能動的に低減させることができ、遮音壁５外方の受音点では、遮音壁５の上方から回り込んでくる回折音が減音し、２０dB以上の減音を達成できる。
【００２０】
そして、モニタマイク１２・スピーカ１５が遮音壁５上端部に支持具１１・１４により取り付けられているため、モニタマイク１２・スピーカ１５の取付に専用の支持台等を要さず、遮音壁５の上端部において支持具１１・１４により簡単に取り付けることができ、また、既に遮音壁５が設置されている場合、その既設の遮音壁５を利用してモニタマイク１２・スピーカ１５を取り付け、遮音壁５外部へ伝播する騒音を能動的に低減させることができ、遮音効果を倍増させることができる。
【００２１】
なお、モニタマイク１２・スピーカ１５の取付位置は、図示の位置に限らず、遮音壁５外部へ伝播する騒音を能動的に低減させることができる位置であればよい。
【００２２】
（形態２）
本発明の実施の形態２を図３及び図４を参照して説明する。図１，図２に示す形態１の遮音装置において、４辺の遮音壁５の下部に、放熱器３への冷却用空気を取り込む側面開口部１７を設け、その側面開口部１７に、人・小動物等が遮音壁５内に侵入しないよう、防止網１８その他侵入防止手段が設けられている。
【００２３】
そして、その開口部１７の上下の中間またはその近傍の遮音壁５内側に、形態１と同様の水平方向の細長マイク箱１０が取り付けられ、マイク箱１０に変圧器２の発生する騒音を検知する複数個のモニタマイク１２が取り付けられている。
【００２４】
さらに、開口部１７の内方に各マイク箱１０に平行にスピーカ箱１３が、設置床１に立設された支持具１４により支持され、スピーカ箱１３に複数個のスピーカ１５が取り付けられ、スピーカ１５より主としてモニタマイク１２に向け放音する。
【００２５】
この遮音壁５下部のスピーカ１５に対して、形態１と同様、制御装置１６により、センサマイクもしくは加速度センサ９の検知信号をモニタマイク１２の設置位置にて変圧器２が発生する騒音と逆位相となるようにしてスピーカ１５に出力し、かつ、モニタマイク１２の検知する騒音が最小となるようスピーカ１５の出力をフィードバック制御する。
【００２６】
従って、開口部１７において、スピーカ１５よりの逆位相の音により遮音壁５外部へ伝播する騒音を能動的に低減させることができ、遮音壁５の外方の受音点に対し、変圧器２から直接伝播してくる音を減音することができ、かつ、側面開口部１７から放熱器３・変圧器２への冷却用空気が取り込まれ、放熱器３・変圧器２を冷却することができ、従来の散水装置・水・給水管・散水制御装置等が不要で安価にすることができる。
【００２７】
その上、変圧器２と遮音壁５の間隔を小さくでき、設置面積が減少し、土地の有効利用が可能となり、その上、遮音壁５自体の設置量も減少し、遮音壁５も安価にすることができる。
【００２８】
図３における２点鎖線は、側面開口部１７を設けない場合の遮音壁５の位置を示す。
【００２９】
なお、形態２は、形態１に側面開口部１７・モニタマイク１２・スピーカ１５を設けたものを示したが、形態１における遮音壁５の上端部近傍にモニタマイク１２・スピーカ１５を設けず、遮音壁５の下部に開口部１７を形成し、その開口部１７またはその近傍内側のみにモニタマイク１２とその内方にスピーカ１５を設けるようにしてもよい。
【００３０】
また、以上は変圧器２を例として説明したが、本発明は、変圧器２に限らず、リアクトル・コンプレッサ・ボイラ等騒音を発生する電気機器に適用し得るのは勿論である。
【００３１】
【発明の効果】
本発明は、以上説明したように構成されているので、以下に記載されるような効果を奏する。
請求項１記載の発明は、変圧器・リアクトル等電気機器の周囲を遮音壁５が包囲し、電気機器の外面に電気機器の発生する騒音を検知するセンサマイクもしくは騒音を振動として検知する加速度センサ９が設けられ、遮音壁５の上面または上方ないしはそれらの近傍に騒音を検知するモニタマイク１２が設けられ、遮音壁５の内方にスピーカ１５が設けられ、制御装置１６により、センサマイクもしくは加速度センサ９の検知信号をモニタマイク１２の設置位置にて電気機器が発生する騒音と逆位相となるようにしてスピーカ１５に出力し、かつ、モニタマイク１２の検知する騒音が最小となるようスピーカ１５の出力をフィードバック制御するため、遮音壁５外部へ伝播する騒音を能動的に低減させることができ、減音効果を高めることができる。
【００３２】
請求項２記載の発明は、変圧器・リアクトル等電気機器の周囲を遮音壁５が包囲し、電気機器の外面に電気機器の発生する騒音を検知するセンサマイクもしくは騒音を振動として検知する加速度センサ９が設けられ、遮音壁５の下部に電気機器冷却用空気を取り込む開口部１７が形成され、開口部１７または該開口部１７の近傍に騒音を検知するモニタマイク１２が設けられ、開口部１７の内方にスピーカ１５が設けられ、制御装置１６により、センサマイクもしくは加速度センサ９の検知信号をモニタマイク１２の設置位置にて電気機器が発生する騒音と逆位相となるようにしてスピーカ１５に出力し、かつ、モニタマイク１２の検知する騒音が最小となるようスピーカ１５の出力をフィードバック制御するため、遮音壁５外部へ伝播する騒音を能動的に低減させることができ、遮音壁５周囲外方の受音点に対し、電気機器から直接伝播してくる音を減音することができ、かつ、開口部１７から電気機器冷却用空気が取り込まれ、電気機器を冷却することができ、散水装置・水・給水管・散水制御装置等を要さず、安価にすることができ、さらに、電気機器と遮音壁５の間隔を小さくでき、設置面積が減少し、土地の有効利用が可能となり、その上、遮音壁５自体の設置量も減少し、遮音壁５も安価にすることができる。
【００３３】
請求項３記載の発明は、請求項１記載の発明と請求項２記載の発明とを合わせ持った遮音装置であり、両発明の作用効果を備え、より遮音効果を高め、安価に構成することができる。
【図面の簡単な説明】
【図１】本発明の実施の形態１の切断正面図である。
【図２】図１の平面図である。
【図３】本発明の実施の形態２の切断正面図である。
【図４】図３の平面図である。
【図５】従来例の切断正面図である。
【図６】図５の平面図である。
【符号の説明】
５  遮音壁
９  センサマイクもしくは加速度センサ
１２  モニタマイク
１５  スピーカ
１６  制御装置
１７  開口部
【図１】
0003643347.tif 000002
【図２】
0003643347.tif 000003
【図３】
0003643347.tif 000004
【図４】
0003643347.tif 000005
【図５】
0003643347.tif 000006
【図６】
0003643347.tif 000007